(57)【特許請求の範囲】
【請求項１】
感光体を配置し、記録媒体を所定の方向に搬送する装置本体と、
前記感光体の近傍に位置決めされる露光ヘッドを保持する開閉カバーと、
前記露光ヘッドを付勢する付勢手段と、
前記開閉カバーを回動自在に保持する開閉カバー保持手段と、
前記開閉カバーを前記開閉カバー保持手段に対し閉じた状態で保持し、前記開閉カバー保持手段を前記装置本体へ向けて略直線移動を可能とする昇降手段と
を有することを特徴とする電子写真記録装置。
【請求項２】
前記露光ヘッドと前記感光体を含むＩＤユニットとの、どちらか一方に位置決め突起を形成し、その他方に位置決め孔を形成し、前記位置決め突起が位置決め孔に嵌入することによって、位置決めすることを特徴とする請求項１記載の電子写真記録装置。
【請求項３】
前記開閉カバーが、前記記録媒体の搬送方向と直角な軸を中心に回動自在に保持されることを特徴とする請求項１又は２記載の電子写真記録装置。
【請求項４】
前記開閉カバーが、前記記録媒体の搬送方向に平行な軸を中心に回動自在に保持されることを特徴とする請求項１又は２記載の電子写真記録装置。
【請求項５】
感光体を配置し、記録媒体を所定の方向に搬送する装置本体と、
前記記録媒体の搬送方向に平行な回動軸を中心に回動自在に前記装置本体に保持され、前記感光体の近傍に位置決めされる露光ヘッドを保持する開閉カバーとを有する電子写真記録装置であり、
前記露光ヘッドを付勢すると共に付勢に抗して傾斜可能に保持し、且つ前記露光ヘッドの長手方向に第１と第２の係合突起部を有する露光ヘッド保持手段と、
前記第１と第２の係合突起部と各々対応し係合可能な第１と第２の係合部を有するスライドレバーと、該スライドレバーを前記記録媒体の搬送方向と直交する方向に移動可能に保持する保持手段から成る移動規制部と
を有し、
前記開閉カバーが閉じる方向に回動する際に、
先ず前記第１と第２の係合突起部の内、前記回動軸に近い方の一方の係合突起部が前記第１の係合部に当接して前記露光ヘッドの移動を規制することで規制状態とし、前記露光ヘッドの移動を部分的に規制して前記開閉カバーに対して傾斜させ、続いて他方の前記係合突起部が前記第２の係合部と係合し前記露光ヘッドが前記感光体の回転軸と略平行となる段階で前記スライドレバーを移動するように作用し、前記規制状態を解除するように構成したことを特徴とする電子写真記録装置。
【発明の詳細な説明】
【０００１】
【発明の属する技術分野】
本発明は、電子写真記録装置の構成に関し、特に電子写真記録装置におけるスタッカカバーの開閉機構の構成に関する。
【０００２】
【従来の技術】
図１６は、従来の電子写真記録装置の要部構成を示す図で、同図（ａ）は、記録紙の搬送方向と直交する方向からみた要部構成図、同図（ｂ）は、スタッカカバーに保持されるＬＥＤヘッドの取付け機構の構成を示す部分斜視図である。
【０００３】
図１６（ａ）に示す電子写真記録装置１０１は、カラー記録対応のもので、装置本体１０２には、記録紙の搬送方向を示す矢印Ａ方向において、その上流側から順にイエロー（Ｙ）、マゼンタ（Ｍ）、シアン（Ｃ）、ブラック（Ｂ）に対応する４つのイメージドラムユニット（以下ＩＤユニットと称す）１０３が着脱可能に配置されている。
【０００４】
各ＩＤユニット１０３には、矢印Ｃ方向に回転する感光体１０３ａが備えられ、対応して回転する転写ローラ１０４との協働で、図示しない搬送ベルトに吸着されて矢印Ａ方向に搬送される記録紙に、順次所定色の画像を転写する。
【０００５】
一方、スタッカカバー１０７は、記録用紙の搬送方向である矢印Ａ方向と直交する方向に延在する回動軸１０８によって装置本体１０２に回動自在に保持され、各ＩＤユニット１０３の感光体１０３ａの周面に対応する位置で４つのＬＥＤヘッド１１１を保持している。
【０００６】
図１６（ｂ）は、このスタッカカバー１０７によるＬＥＤヘッド１１１の保持機構の一部を示すものである。この保持機構は、スタッカカバー１０７の両側縁部から突出する一対の支持凸部１０７ａに形成された支持穴１０７ｂに、ＬＥＤヘッド１１１の両端部に形成された支持突起１１１ａが遊嵌し、更に、ＬＥＤヘッド１１１とスタッカカバー１０７の間に圧縮されたスプリング１１５が配設された構成となっている。従って、ＬＥＤヘッド１１１は、スタッカカバー１０７に対して、離間する方向に付勢されて安定しているものの、この付勢力に抗して多少の位置変位が可能となっている。
【０００７】
尚、図１６（ｂ）には、１つのＬＥＤヘッド１１１の一端部側の保持機構の構成が示されているが、その他端部側においても同様な構成の保持機構が対称的に形成され、更に４つのＬＥＤヘッド１１１が、以上説明した保持機構と同一な構成の保持機構によって保持されるものである。
【０００８】
また、各ＬＥＤヘッド１１１の両端近傍には、一対の規制突起１１１ｂが形成されており、スタッカカバー１０７が閉められた段階で、各規制突起１１１ｂが対応するＩＤユニット１０３に形成された図示しない規制孔に嵌入してＬＥＤヘッド１１１がＩＤユニット１０３に位置決めされる。このとき各ＬＥＤヘッド１１１が各々対応する感光体１０３ａの周面に近接配置され、ＬＥＤヘッドによる感光体周面の露光が可能となる。
【０００９】
一方、図１７は、従来の別の電子写真記録装置１２１の要部構成を模式的に示す概略図である。同図（ａ）は、記録紙の搬送方向の上流側から電子写真記録装置１２１を見た要部概略図で、スタッカカバー１２３が、記録紙の搬送方向に平行に配設された軸１２４を回動軸として装置本体１２２に回動自在に保持され、他端部が上方に開放された状態を示している。
【００１０】
この電子写真記録装置１２１が、前記した図１６に示す従来装置１０１と基本的に異なる点は、スタッカカバーの回動軸の方向である。前記した電子写真記録装置１０１の場合は、この回動軸１０８が記録紙の搬送方向と直交する方向に形成されたが、この電子写真記録装置１２１の場合、回動軸１２４が記録紙の搬送方向と平行な方向となっている。その他の配置関係は共通するため、相違する点を主に説明する。
【００１１】
このスタッカカバー１２３には、ＬＥＤヘッド１２６がスタッカカバー１２３から離間する方向に付勢されながら保持されている。この保持機構は、図１６（ｂ）に示す前記従来例の保持機構と同構成のものであり、ＬＥＤヘッド１２６の両端部に形成された図示しない一対の支持突起が、スタッカカバー１２３に形成された図示しない支持穴に遊嵌し、スタッカカバー１２３とＬＥＤヘッド１２６間に圧縮した状態で配設された一対のスプリング１２７で付勢されるものである。
【００１２】
また、ＬＥＤヘッド１２６の両端近傍には、一対の規制突起１２６ａ、１２６ｂが形成されており、スタッカカバー１２３が閉められた段階で、各規制突起１２６ａ，１２６ｂが、各々対応するＩＤユニット１２５に形成された規制孔１２５ａ，規制長孔１２５ｂに嵌入して、ＩＤユニット１２５に対してＬＥＤヘッド１２６が位置決めされる。尚、回動軸１２４に近い方の規制長孔１２５ｂは、スタッカカバー１２３の回動に伴なう規制突起１２６ｂの嵌入を可能とするため、搬送方向と直交する方向に延びる長孔となっている。
【００１３】
同図（ｂ）は、スタッカカバー１２３が閉められた動作位置にあるときの各部の状態を示す要部概略図であり、同図（ａ）には、スタッカカバー１２３がこの動作位置に移動したときに、付勢力に抗して変位するＬＥＤヘッド１２６の変位動作位置が点線で示されている。
【００１４】
【発明が解決しようとする課題】
図１６に示す従来の電子写真記録装置によれば、同図（ａ）に示す様に、回動軸１０８から４つの各ＬＥＤヘッド１１１に形成された支持突起１１１ａ（図１６（ｂ））までの回転半径Ｌ１，Ｌ２，Ｌ３，Ｌ４が異なる。従って、各部に形成された支持突起１１１ａが各々対応するＩＤユニット１０３の図示しない規制孔に嵌入する際の位置合わせの条件が異なり、これらを共に円滑に係合させるには、同図（ｂ）に示すスタッカカバー１０７に形成されたＬＥＤヘッド１１１の支持穴１０７ｂの形状を、各回転条件に合わせてそれぞれ異なった形状にするか、或いは全ての条件を満たすべく精度的には妥協した形状とするため、構成上の煩雑さを伴なったり、取付け精度が甘くなって焦点ボケなどが発生する可能性があった。
【００１５】
一方、図１７に示す従来の電子写真記録装置によれば、スタッカカバー１２３は、図１７（ａ）に示す開放された状態から、同図（ｂ）に示す動作位置までオペレータによって回動されるが、この際に、ＬＥＤヘッド１２６は、同図（ａ）に点線で示す動作位置から更にスタッカカバー１２３から離間した位置にある。従って、同図（ｃ）に示す様にスタッカカバー１２３が動作位置近傍まで回動した段階で、回動中心に近い方の規制突起１２６ｂは、前記したようにＩＤユニット１２５の対応する位置に形成された規制長孔１２５ｂに問題なく嵌入するが、もう一方の規制突起１２６ａは、対応する規制孔１２５ａの近傍に当接してしまい上手く嵌入できない。
【００１６】
本発明の目的は、以上の問題を解消し、スタッカカバーに保持された複数のＬＥＤヘッドを、各ＬＥＤヘッドに各々対応して装置本体に装着されたＩＤユニットに、しっかりと位置決めすることができる電子写真記録装置を提供することにある。
【００１７】
【課題を解決するための手段】
本発明の電子写真記録装置は、
感光体を配置し、記録媒体を所定の方向に搬送する装置本体と、前記感光体の近傍に位置決めされる露光ヘッドを保持する開閉カバーと、前記露光ヘッドを付勢する付勢手段と、前記開閉カバーを回動自在に保持する開閉カバー保持手段と、前記開閉カバーを前記開閉カバー保持手段に対し閉じた状態で保持し、前記開閉カバー保持手段を前記装置本体へ向けて略直線に移動する昇降手段と
を有することを特徴とする。
【００１８】
本発明の別の電子写真記録装置は、
感光体を配置し、記録媒体を所定の方向に搬送する装置本体と、前記記録媒体の搬送方向に平行な回動軸を中心に回動自在に前記装置本体に保持され、前記感光体の近傍に位置決めされる露光ヘッドを保持する開閉カバーとを有する電子写真記録装置であり、
前記露光ヘッドを付勢すると共に付勢に抗して傾斜可能に保持し、且つ前記露光ヘッドの長手方向に第１と第２の係合突起部を有する露光ヘッド保持手段と、前記第１と第２の係合突起部と各々対応し係合可能な第１と第２の係合部を有するスライドレバーと、該スライドレバーを前記記録媒体の搬送方向と直交する方向に移動可能に保持する保持手段から成る移動規制部とを有し、
前記開閉カバーが閉じる方向に回動する際に、先ず前記第１と第２の係合突起部の内、前記回動軸に近い方の一方の係合突起部が前記第１の係合部に当接して前記露光ヘッドの移動を規制することで規制状態とし、前記露光ヘッドの移動を部分的に規制して前記開閉カバーに対して傾斜させ、続いて他方の前記係合突起部が前記第２の係合部と係合し前記露光ヘッドが前記感光体の回転軸と略平行となる段階で前記スライドレバーを移動するように作用し、前記規制状態を解除するように構成したことを特徴とする。
【００２３】
【発明の実施の形態】
実施の形態１．
図１（ａ）は、本発明による実施の形態１の電子写真記録装置１の外形斜視図であり、同図（ｂ）は、この電子写真記録装置１の後述するＳＣ保持フレーム４が垂直上方に上がった時の状態を示している。
【００２４】
同図に示すＸ，Ｙ，Ｚ座標軸は、この電子写真記録装置内で記録媒体としての記録紙が搬送される方向と平行にＸ軸を設定し、記録紙の搬送平面に平行で且つＸ軸と直交する方向にＹ軸を設定し、更にこれら両軸と直交する方向にＺ軸を設定している。また、後述する各実施の形態の他の図中の座標軸においても共通する座標を示すものである。
【００２５】
図１（ｂ）に示すように、電子写真記録装置１は、装置本体２と、装置本体２に対して上下方向（Ｚ軸方向に相当する）にスライドする開閉カバー保持手段としてのスタッカカバー保持フレーム（以下、ＳＣ保持フレームと称す）４と、このＳＣ保持フレーム４に、回動自在に保持された開閉カバーとしてのスタッカカバー３とを有する。
【００２６】
図２は、装置本体２に対して、ＳＣ保持フレーム４をその移動領域の上端に位置する上位開放位置に移動し、更にＳＣ保持フレーム４に対してスタッカカバー３を最大に開いた開放角位置に回動した状態を示す開放状態図である。図２に示すように、装置本体２の内部には、カラー記録に対応して４つのＩＤユニット６が装着されている。この４つのＩＤユニット６は、電子写真記録装置１が図２に示す開放状態にあるとき挿脱可能に装着され、記録紙の搬送方向を示す矢印Ａ方向において、その上流側から順にイエロー（Ｙ）、マゼンタ（Ｍ）、シアン（Ｃ）、ブラック（Ｂ）に対応するＩＤユニットが装着される。
【００２７】
同図に示すように、スタッカカバー３には、装置本体２に装着された４つの各ＩＤユニット６に対応する位置に、４つの露光ヘッドに相当するＬＥＤヘッド７が各々ＬＥＤヘッドホルダ８を介して配設されてる。これらの各ＬＥＤヘッド７は、図示しない保持手段によって、前記した図１６（ｂ）に示す従来の保持機構と同様に、スタッカカバー３から離間される方向に付勢されながら、僅かに所定方向に変位可能に保持されている。
【００２８】
また、各ＬＥＤヘッド７の両端部には、それぞれ一対の位置決め突起７ａが形成され、これらの各ＬＥＤヘッド７に対向する４つの各ＩＤユニット６には、一対の位置決め突起７ａを受入れる位置決め孔６ａが形成されている。後述するように、これらの位置決め孔６ａに、それぞれ対応する位置決め突起７ａが嵌入することにより、対応するＬＥＤヘッドとＩＤユニットとが相対的に位置決めされる。
【００２９】
図３は、電子写真記録装置１が、図１（ａ）に示すように、そのＳＣ保持フレーム４に対してスタッカカバー３が閉じた動作位置角にあり、更にＳＣ保持フレーム４が下位動作位置に移動した動作可能状態にあるときの各ＩＤユニット６とＬＥＤヘッド７の位置関係を模式的に示した概略説明図である。
【００３０】
同図に示すように、記録紙の搬送方向（矢印Ａ方向）の上流側から順に配列された（Ｙ），（Ｍ），（Ｃ），（Ｂ）の各ＩＤユニット６には、Ｙ軸回りの矢印Ｃ方向に回転する感光体１０が備えられ、装置本体２内において各感光体１０に対応して配置されて回転する転写ローラ１１との協働で、図示しない搬送ベルトに吸着されて矢印Ａ方向に搬送される記録紙に、順次所定色の画像を転写する。
【００３１】
一方、スタッカカバー３に、ＬＥＤヘッドホルダ８を介して保持される４つのＬＥＤヘッド７は、このとき後述するように対応する各ＩＤユニット６に対して位置決めされる。これにより各ＬＥＤヘッド７は、各々対応するＩＤユニットの各感光体１０の周面に近接配置され、各ＬＥＤヘッドによる対応する感光体周面の露光が可能となる。
【００３２】
次に、装置本体２に対してＳＣ保持フレーム４を昇降させる昇降機構について説明する。
【００３３】
図２に示すように、装置本体２の外筐５の上部面５ｄには、ＳＣ保持フレーム４のＳＣ保持プレート４ａの４隅から下方に垂下する４つのガイドシャフト９をそれぞれ嵌入し、ＳＣ保持フレーム４をＺ軸方向に移動可能に保持する４つのガイド孔５ｆが形成されている。
【００３４】
図４は、装置本体２の外筐５の側壁部５ａ，５ｂ，５ｃ（図２）に沿って配設されたＳＣ保持フレーム４の昇降機構を、Ｚ軸のプラス側から見た要部構成図である。
【００３５】
同図に示すように、スライドプレート１２，１３は、それぞれ側壁部５ａ，５ｃに、Ｘ軸に平行にスライド可能に保持されている。各スライドプレート１２，１３の各々の両端部には、ＳＣ保持プレート４ａから垂下するガイドシャフト９が貫通する規制長孔１２ａ，１２ｂ及び１３ａ，１３ｂが形成されている。更に各スライドプレート１２，１３は、それぞれ図示しない付勢手段によってＸ軸のマイナス方向に付勢され、各規制長孔１２ａ，１２ｂ及び１３ａ，１３ｂの右端側（Ｘ軸のプラス側）の縁部が各々ガイドシャフト９に当接している。
【００３６】
一方、図５は、ガイドシャフト９とスライドプレート１２の規制長孔１２ｂの係合関係を説明するための部分構成図で、同図（ａ）はＳＣ保持フレーム４が図１（ａ）に示す様に下位動作位置にあるときの状態を示し、同図（ｃ）はＳＣ保持フレーム４が図１（ｂ）に示す様に上位開放位置にあるときの状態を示している。尚、他の規制長孔１２ａ，１３ａ，１３ｂとガイドシャフト９の関係も、全く同じに構成されて同じ動作をするため、ここでは図５に示すガイドシャフト９と規制長孔１２ｂの関係のみを説明する。
【００３７】
ＳＣ保持フレーム４は、図示しない付勢手段で上方（Ｚ軸のプラス方向）に付勢されている。しかしながら、図５（ａ）に示す様に、ガイドシャフト９に形成された突起部９ａの規制面９ｂがスライドプレート１２の下面１２ｃに当接してその上方移動が規制されて下位動作位置に止まっている。
【００３８】
図４に示す作用プレート１４は、外筐５の側壁部５ｂに、Ｙ軸に平行にスライド可能に保持されている。この作用プレート１４の両端部近傍には、各スライドプレート１２，１３に形成された傾斜辺１２ｄ，１３ｄに、各々当接する作用傾斜辺を有する係合突起１４ａ，１４ｂが形成されている。更にこの作用プレート１４には、外筐５の側壁部５ａに形成された開口から外部に臨み、オペレータによる押圧操作を可能とする端部ボタン１４ｃが形成されている。
【００３９】
従って、ＳＣ保持フレーム４を図１（ｂ）に示す上位開放位置に上昇させたい場合、オペレータは、端部ボタン１４ｃを押圧して作用プレート１４をＹ軸のプラス方向に移動する。この移動に伴なう係合突起１４ａ，１４ｂの作用によって、各スライドプレート１２，１３は、共にＸ軸のプラス方向に移動する。
【００４０】
これにより、ＳＣ保持フレーム４は、図５（ａ）に示す状態、即ちそのガイドシャフト９の規制面９ｂがスライドプレート１２の下面１２ｃに当接してその上方移動が規制された状態から、同図（ｂ）に示す様にこの移動規制が解除され、図１（ｂ）に示す上位開放位置に上昇する。尚、ＳＣ保持フレーム４は、図示しない規制手段によってこの上位開放位置から更に上方に移動するのが規制されてこの上位開放位置に止まる。
【００４１】
また、ＳＣ保持フレーム４を再び図１（ａ）に示す下位動作位置に下降させたい場合、オペレータは、ＳＣ保持フレーム４自体を下方に押し下げる。このとき、ガイドシャフト９とスライドプレート１２の関係は、図５（ｃ）に示すように、ガイドシャフト９の突起部９ａがスライドプレート１２の上方に位置し、規制長孔１２ｂの右端側縁部がガイドシャフト９に当接した状態となっている。この状態から、ＳＣ保持フレーム４が下方移動すると、規制長孔１２ｂの右端側縁部は、やがて突起部９ａの傾斜部９ｃに摺接しながら付勢力に抗してＸ軸のプラス方向に移動し、突起部９ａが規制長孔１２ｂを通過した段階で速やかにＸ軸のマイナス方向に移動して図５（ａ）に示す規制状態に復帰する。これにより、ＳＣ保持フレーム４は再び下位動作位置に止まる。
【００４２】
尚、この昇降動作にかかわる、スライドプレート１２，１３、作用プレート１４、ガイド孔５ｆ、ガイドシャフト９、及び図示しない付勢手段等は、昇降手段に相当する。
【００４３】
次に、ＳＣ保持フレーム４に回動自在に保持されるスタッカカバー３の回動機構について説明する。
【００４４】
図２に示すように、スタッカカバー３の蓋体２０には、上平面２０ａ(図１（ｂ）)に対してその長手方向の両側で９０度折り曲がった側縁部２０ｂ，２０ｃが形成されている。この側縁部２０ｂ、２０ｃの各一方の端部には、外方に向かって一対の突起軸２０ｄ，２０ｅがＹ軸に平行な一直線上に形成されている。一方、ＳＣ保持プレート４ａには、この一対の突起軸２０ｄ，２０ｅをＹ軸に平行な回動軸１３０上で保持する一対の軸受孔４ｄ、４ｅが形成されている。これにより、スタッカカバー３は、矢印Ａ方向で示す記録紙の搬送方向における下流側端部において、搬送方向と直交する方向に形成された回動軸１３０回りに回動自在に保持される。
【００４５】
また、突起軸２０ｄの周辺には同軸にギア２０ｆが形成されている。このギア２０ｆは、ＳＣ保持プレート４ｃに回転自在に保持されたダンパーギア１５と歯合している。また、スタッカカバー３は、図示しない付勢手段によってＹ軸回りの矢印Ｄ方向に付勢され、更に図２に示す開放角位置において、図示しない規制手段によってそれ以上の回動が規制されている。
【００４６】
一方、スタッカカバー３の蓋体２０の両側縁部２０ｂ，２０ｃには、各他方の端部に一対の係止部１６が配設されている。この係止部は、その先端部の係止爪１６ａと中間部の押圧ボタン１６ｂとが一体的に形成されている。ＳＣ保持プレート４ａの、係止部１６に対向する位置には、一対の係止突起１７が形成されている。
【００４７】
以上の構成において、図２に示すように、電子写真記録装置１のＳＣ保持フレーム４が上位開放位置にあり、更にスタッカカバー３が最大に開いた開放角位置にある状態から、図１（ａ）に示す動作可能状態まで変位する間の動作について説明する。
【００４８】
先ず、オペレータが、付勢力に抗してスタッカカバー３をＹ軸回りの矢印Ｃ方向に回動し、一対の係止部１６の係止爪１６ａが、それぞれＳＣ保持プレート４ａの係止突起１７に引っ掛かって係止されるまで同方向に回動する。図１（ｂ）は、このときの状態を示すもので、回動軸１３０（図２）の位置は、スタッカカバー３の蓋体２０の上平面２０ａと、ＳＣ保持プレート４ａの上平面４ｇとが面一となるように設定されている。
【００４９】
次に、オペレータは、この状態からＳＣ保持フレーム４自体を下方に押し下げる。これによるＳＣ保持フレーム４の下方移動により、やがて前記したようにガイドシャフト９の突起部９ａの規制面９ｂ（図５（ａ））がスライドプレート１２によって上方移動が規制される下位動作位置に至り、ＳＣ保持フレーム４がこの位置に止まる。図１（ａ）は、このときの状態を示している。
【００５０】
また、このとき、各ＬＥＤヘッド７に形成された個々の位置決め突起７ａ(図２)は、対応するＩＤユニット６の位置決め孔６ａに垂直に嵌入し、各ＬＥＤヘッドと対応するＩＤユニットとが相対的に位置決めされる。
【００５１】
この状態から再び図２の状態にするには、オペレータは、前記したように先ず端部ボタン１４ｃを押し、スライドプレート１２（図４）によるＳＣ保持フレーム４の上方動移動規制を解除してこれを図１（ｂ）に示す上位開放位置まで移動させる。次に、オペレータは、ＳＣ保持プレート４ａに形成された一対の係止部１６の押圧ボタン１６ｂを押して、係止爪１６ａと係止突起１７の係合による回動規制状態を解除する。これにより、スタッカカバー３は、Ｙ軸回りの矢印Ｄ方向の付勢力により、回動軸１３０（図２）を中心として同方向への回動を開始する。この回動時に、ギア２０ｆと歯合して回転するダンパーギア１５の働きにより、回動速度が調整される。
【００５２】
やがてスタッカカバー３は図２に示す開放角位置まで回動した段階で、図示しない規制手段によってそれ以上の回動が規制され、この回動位置に止まる。
【００５３】
以上のように、実施の形態１の電子写真記録装置によれば、スタッカカバーに保持される複数の各ＬＥＤヘッド７の両端部に形成される位置決め突起７ａが、装置本体に保持されたＩＤユニット６に形成されて対向する位置決め孔６ａに嵌入する際に、全ての位置決め突起７ａが垂直に嵌入できるため、配置等の条件に拘わらず、ＬＥＤヘッドとＩＤユニットとの相対的な位置決めを円滑に行なうことができる。
【００５４】
実施の形態２．
図6（ａ）は、本発明による実施の形態2の電子写真記録装置３１の外形斜視図であり、同図（ｂ）は、その電子写真記録装置３１のＳＣ保持フレーム３４が垂直上方に上がった時の状態を示している。
【００５５】
図７は、装置本体２に対して、ＳＣ保持フレーム３４をその移動領域の上端に位置する上位開放位置に移動し、更にＳＣ保持フレーム３４に対してスタッカカバー３３を最大に開いた開放角位置に回動した状態を示す開放状態図である。
実施の形態２の電子写真記録装置３１が、図２に示す前記した実施の形態１の電子写真記録装置１に対して異なる点は、図７に示すように、ＳＣ保持フレーム３４に回動自在に保持されるスタッカカバー３３の回動軸１３１が、記録紙の搬送方向を示す矢印Ａ方向と平行に形成されている点である。従って、実施の形態１と共通する構成部分には、同符号を付してその説明を省略し、異なる点を重点的に説明する。
【００５６】
図７に示すように、スタッカカバー３３の蓋体４０には、上平面４０ａに対してその短手方向の両側で９０度折り曲がった側縁部４０ｂ，４０ｃが形成されている。この側縁部４０ｂ、４０ｃの各一方の端部には、外方に向かって一対の突起軸４０ｄ，４０ｅがＸ軸に平行な一直線上に形成されている。一方、ＳＣ保持プレート３４ａには、この一対の突起軸４０ｄ，４０ｅをＸ軸に平行な回動軸１３１上で保持する一対の軸受孔３４ｄ、３４ｅが形成されている。これにより、スタッカカバー３３は、端部ボタン１４ｃが配設される電子写真記録装置３１の正面側と反対の装置背面側において、記録紙の搬送方向と平行な方向に形成された回動軸１３１回りに回動自在に保持される。
【００５７】
また、突起軸４０ｅの周辺に同軸に形成されたギア４０ｆ、このギア４０ｆと歯合してＳＣ保持プレート３４ａに回転自在に保持されたダンパーギア１５、蓋体４０の両側縁部４０ｂ，４０ｃに形成された一対の係止部１６、及びＳＣ保持プレート３４ａの、係止部１６に対向する位置に形成された一対の係止突起１７は、それぞれ、前記した実施の形態１の電子写真記録装置１と配設位置が異なるが、それらの個々の構成及び動作は全く同じであるため、説明を省略する。
【００５８】
この電子写真記録装置３１におけるＣＳ保持フレーム３４の下方移動は、オペレータによって、ＣＳ保持フレーム３４自体を下方に押し下げることによって行われ、またその上方移動は、端部ボタン１４ｃを押圧することによって行われる。このときの昇降動作は、実施の形態１と全く同じである。
【００５９】
一方、スタッカカバー３３を閉じる際には、オペレータによって、付勢力に抗してＸ軸回りの矢印Ｈ方向に回動して行い、スタッカカバー３３を開ける際には、一対の係止部１６の押圧ボタン１６ｂを押すことによって行われる。このときの開閉動作は、実施の形態１と全く同じである。
【００６０】
以上のように、実施の形態２の電子写真記録装置によれば、実施の形態１と同様の効果が得られる上、スタッカカバー３３の回動軸を、記録紙の搬送方向に設定したため、回動半径がその短辺側となり、スタッカカバーが開いた時にその端部が高い位置まで上がってしまうことがなく、更に回動に要する力も少なくてすむため、オペレータにとってスタッカカバーの開閉が容易となる。
【００６１】
実施の形態３．
図８及び図９は、本発明による実施の形態３の電子写真記録装置５１を、それぞれ記録紙の搬送方向の上流側からみた構成図である。図９は後述するスタッカカバー５３が閉じた動作位置にある状態を示し、図８はこのスタッカカバー５３が最大に開いた開放角位置（同図に点線で示す）に対して半分程度に開いた半開きの状態を示している。
【００６２】
装置本体５２は、上方が開いた外筐５５の正面側壁部５５ａと反対の背面側壁部５５ｂの上端部に設けた、Ｘ軸と平行な、即ち記録紙の搬送方向に延在する回動軸５６によって、スタッカカバー５３を回動自在に保持している。このスタッカカバー５３は、図示しない付勢手段によってＸ軸回りの矢印Ｇ方向に付勢され、更に図８に点線で示す開放角位置において、図示しない規制手段によってそれ以上の回動が規制されている。また、この装置本体５２は、外筐５５内において、図２に示す実施の形態１の装置本体２と同様に、カラー記録に対応する構成とするため、Ｘ軸方向に配列される４つのＩＤユニット５７（図８）を挿脱可能に保持している。
【００６３】
従ってこの４つのＩＤユニット５７は、スタッカカバー５３が図８に点線で示す示す開放角位置にあるとき必要に応じて着脱され、記録紙の搬送方向の上流側から順にイエロー（Ｙ）、マゼンタ（Ｍ）、シアン（Ｃ）、ブラック（Ｂ）に対応するＩＤユニットが装着される。一方、スタッカカバー５３には、装置本体５２に装着された４つの各ＩＤユニット５７に対応する位置に、図７に示す実施の形態２のスタッカカバー３３と同様に４つのＬＥＤヘッド５８（図８）が、後述するように各々ヘッドカバー５９及びＬＥＤヘッドホルダ６０を介して配設されている。
【００６４】
図１１は、スタックカバー５３が、図８（ｂ）に示す閉じた動作位置にあるとき、対になった１組のＩＤユニット５７とＬＥＤヘッド５８の位置関係を、模式的に示した概略説明図である。
【００６５】
同図に示すように、記録紙の搬送方向（矢印Ａ方向）の上流側から順に配列された（Ｙ），（Ｍ），（Ｃ），（Ｂ）の各ＩＤユニット５７には、Ｙ軸回りの矢印Ｃ方向に回転する感光体１０が備えられている。この感光体１０は、装置本体５２内において対応して配置されて回転する転写ローラ１１との協働で、図示しない搬送ベルトに吸着されて矢印Ａ方向に搬送される記録紙に、順次所定色の画像を転写する。
【００６６】
一方、スタッカカバー５３に保持される４つのＬＥＤヘッド５８は、このとき後述するように対応する各ＩＤユニット５７に対して位置決めされる。これにより各ＬＥＤヘッド５８は、各々対応するＩＤユニットの各感光体１０の周面に近接配置され、対応する感光体周面の露光が可能となる。
【００６７】
また図８に示すように、各ＩＤユニット５７は、ヘッドカバー５９に対向する対向側面５７ｄを有し（図１１参照）、この面の所定位置に配設された保持手段としてのレバーガイド６３によって、スライドレバー６４をＹ軸と平行にスライド可能に保持する。更にＬＥＤヘッド５８を載置する載置面５７ｃの両端部に、ＬＥＤヘッド５８の対応部分に形成された位置決め突起５８ａ，５８ｂを各々受入れて、ＬＥＤヘッド５８を位置決めするための位置決め孔５７ａ，５７ｂを形成している。
【００６８】
一方ヘッドカバー５９の、各ＩＤユニット５７の対向側面５７ｄと対向する側面部５９ｅ（図１０（ａ））には、後述するように、スライドレバー６４と係合する一対の係合突起５９ａ，５９ｂが形成されている。
【００６９】
スライドレバー６４は、図８に示すように、両端部がコ字状に上方に曲がって形成された係合部６４ａ，６４ｂを有し、外筐５５の背面側壁部５５ｂに向かう矢印Ｅ方向に図示しない付勢手段によって付勢され、更に図示しない規制手段によって同図の位置で、同方向への移動が規制されている。また背面側壁部５５ｂから遠い方の係合部６４ａの先端部には、係合斜面６４ｃが形成されている。
【００７０】
図１０（ａ）は、ＬＥＤヘッド５８の取付け部を図８の矢印Ｂ方向からみた要部構成図であり、同図（ｂ）は、同図（ａ）における指示線１３５での断面を矢印Ｊ方向からみた部分断面図である。
【００７１】
図８及び図１０（ａ）、（ｂ）に示すように、スタッカカバー５３に配設されたＬＥＤホルダー６０の両端部には、スタッカカバー５３から離間する方向に突出して延在する一対の突出壁６０ａが形成されている。この一対の突出壁６０ａには、それぞれその延在方向である矢印Ｊ，Ｋ方向に沿う長孔６０ｂが形成されている。
【００７２】
一方、ＬＥＤヘッド５８に一体的に取付けられてこれを保持するヘッドカバー５９は、両端部からその長手方向に突出する一対の突起軸５９ｃを有し、これらの突起軸５９ｃがそれぞれ突出壁６０ａの対向する長孔６０ｂに遊嵌する状態に配置されることにより、図８に示すように、一対の突出壁６０ａの間にあってＬＥＤホルダー６０に保持される。更に突起軸５９ｃ（図１０）の先端部には、面広の係止部５９ｄが形成されており、通常の使用において、ヘッドカバー５９がＬＥＤホルダー６０から脱落しないように形成されている。
【００７３】
また、図８に示すように、ＬＥＤホルダー６０とヘッドカバー５９間には、圧縮した状態の一対のコイルスプリング６１，６２が端部近傍で配設されている。従って、ヘッドカバー５９は、ＬＥＤホルダー６０に対して近接、離間する矢印Ｊ，Ｋ方向に移動可能とされるものの、ＬＥＤホルダー６０から離間する方向に付勢され、図１０（ａ）に示すように、突起軸５９ｃが長孔６０ｂの端部に当接してその移動が規制された状態となっている。
【００７４】
そして、後述するように、ＬＥＤホルダー６０に対してヘッドカバー５９が所定量だけ傾斜できるようにするため、図１０（ｂ）に示すように、ＬＥＤホルダー６０の一対の突出壁６０ａとヘッドカバー５９の端部間には、それぞれ隙間Ｃが確保できるように形成されている。
【００７５】
尚、ＬＥＤホルダー６０、ヘッドカバー５９、及びコイルスプリング６１，６２によってＬＥＤヘッド保持手段を構成している。
【００７６】
以上の構成において、スタッカカバー５３を、図８に点線で示す開放角位置から、図９に示す閉じた動作位置まで回動する時の、ＬＥＤヘッド５８と一体となってこれを保持するヘッドカバー５９とスライドレバー６４の動きについて、図１２の動作説明図を参照しながら説明する。
【００７７】
先ず、オペレータによって、スタッカカバー５３を付勢力に抗してＸ軸回りの矢印Ｈ方向に回動すると、やがて図１２（ａ）に示すように、ヘッドカバー５９の係合突起５９ｂが、ＩＤユニット５７に保持されたスライドレバー６４の係合部６４ｂの先端部に当接する。この状態から更に同方向への回動を続けると、係合突起５９ｂが移動を妨げられるため、その分コイルスプリング６２が圧縮してＬＥＤホルダー６０に対してヘッドカバー５９が傾斜し、更なるスタッカカバー５３の回動を許容する。
【００７８】
やがて、ヘッドカバー５９のもう一方の係合突起５９ａが、図１２（ｂ）に示すようにスライドレバー６４の係合部６４ａの係合斜面６４ｃに当接する。この状態からさらに同方向に回動を続けると、スライドレバー６４は、係合斜面６４ｃを摺動する係合突起５９ａによって、矢印Ｆ方向に押圧されて同方向への移動を開始する。
【００７９】
このスライドレバー６４の移動によって、ヘッドカバー５９と一体となったＬＥＤヘッド５８がＩＤユニット５７の載置面５７ｃに対して略平行状態となった段階で、ヘッドカバー５９の各係合突起５９ａ，５９ｂとスライドレバー６４の各係合部６４ａ，６４ｂとのそれぞれの係合状態が解除される。
【００８０】
従って、ＬＥＤヘッド５８は、コイルスプリング６１，６２の押力及び自重によって、その各位置決め突起５８ａ，５８ｂが、各々が対向するＩＤユニット５７の位置決め孔５７ａ，５７ｂに略垂直に円滑に嵌入し、ＩＤユニット５７に対して所定の位置に位置決めされる。尚、スタッカカバー５３は、図９に示すこの閉じた動作位置まで回動した段階で、図示しないロック手段によってこの動作位置にロックされる。
【００８１】
一方、スタッカカバー５３を開く際には、オペレータがこのロック状態を解除する。これによって、スタッカカバー５３は、Ｘ軸回りの矢印Ｇ方向の付勢力により同方向に回動を開始する。その際、ヘッドカバー５９の各係合突起５９ａ，５９ｂは、スライドレバー６４の各係合部６４ａ，６４ｂを押圧し、これを僅かに矢印Ｆ方向に移動させながら変位して各係合部と離間する。その後、スタッカカバー５３は、同方向への回動を続け、やがて図８に点線で示す開放角位置に至る。
【００８２】
以上の様に、実施の形態３の電子写真記録装置によれば、前記した実施の形態２と同様の効果を得ることができる上、昇降手段が必要ないため構成がより簡単となり、装置のコストダウンに貢献できる。
【００８３】
実施の形態４．
図１３は、本発明による実施の形態４の電子写真記録装置７１を記録紙の搬送方向の上流側からみた構成図であり、スタッカカバーが半開きの状態を示している。
【００８４】
この電子写真記録装置７１が、図８に示す前記した実施の形態３の電子写真記録装置５１に対して異なる点は、ヘッドカバー５９の一対の係合突起５９ａ，５９ｂ（図８）の代りに、その長手方向と直角に延在する半円柱状の棒状突起７４（図１３）が形成されている点と、ＩＤユニット５７の対向側面５７ｄにおいて、スライドレバー６４（図８）を保持する代りに、ガイドリブ７３（図１３）を形成した点である。従って、実施の形態３と共通する構成部分には、同符号を付してその説明を省略し、異なる点を重点的に説明する。
【００８５】
ガイドリブ７３は、ＩＤユニット５７が装置本体５２の所定位置に装着されたとき、Ｚ軸と平行に延在する一対のリブ７３ａ，７３ｂからなり、背面側壁部５５ｂから遠い方のリブ７３ａの先端部には、係合斜面７３ｃが形成されている。
【００８６】
以上の構成において、スタッカカバー５３を、図１３の角位置から閉じた動作位置まで回動する時の、ＬＥＤヘッド５８と一体となってこれを保持するヘッドカバー５９の動きについて、図１４及び図１５の動作説明図を参照しながら説明する。尚、図１５は、このときのガイドリブ７３と棒状突起７４の係合状態の変化を示す模式図である。
【００８７】
先ず、オペレータによって、スタッカカバー５３を付勢力に抗してＸ軸回りの矢印Ｈ方向に回動すると、やがて図１４及び図１５（ａ）に示すように、ヘッドカバー５９の棒状突起７４の端部が、ＩＤユニット５７に形成されたガイドリブ７３の傾斜面７３ｃに当接する。この状態から更に同方向への回動を続けると、棒状突起７４が移動を妨げられるため、その分コイルスプリング６２が圧縮してＬＥＤホルダー６０に対してヘッドカバー５９が傾斜し、更なるスタッカカバー５３の回動を許容する。
【００８８】
やがて、ヘッドカバー５９と一体となったＬＥＤヘッド５８が、ＩＤユニット５７の載置面５７ｃに対して略平行状態となると、図１５（ｂ）に示すように、傾斜面７３ｃによって移動が規制されていた棒状突起７４が、リブ７３ａ，７３ｂによって形成されたガイド溝７３ｄと略平行状態となって同溝に沿っての移動が可能となる。
【００８９】
従って、ＬＥＤヘッド５８は、コイルスプリング６１，６２の押力及び自重によって、棒状突起７４がガイド溝７３ｄに沿って図１５（ｃ）に示すように移動すると共に、その各位置決め突起５８ａ，５８ｂが、各々が対向するＩＤユニット５７の位置決め孔５７ａ，５７ｂに略垂直に円滑に嵌入し、ＩＤユニット５７に対して所定の位置に位置決めされる。
【００９０】
一方、スタッカカバー５３を開ける場合には、各部の動きが上記した閉める場合と全く反対に動作するため、その詳細な説明を省略する。
【００９１】
以上の様に、実施の形態４の電子写真記録装置によれば、前記した実施の形態３と同様の効果を得ることができる上、スライドレバーが必要ないために更に構成が簡単となり、部品点数が減って更なる装置のコストダウンに貢献できる。
【００９２】
【発明の効果】
請求項１、３、又は４の電子写真記録装置によれば、露光ヘッドとＩＤユニットとの相対的な位置決めを行なう際、両者が直線移動によって接近するように構成されるため、これらの一方に位置決め突起を形成し、他方に位置決め孔を形成して行う際にも円滑に行われる。特にカラー印刷対応の電子写真記録装置のように、複数組の露光ヘッドとＩＤユニットを各々位置決めする場合に有効である。また、スタッカカバーの回動軸の、記録媒体の搬送方向に対する配置方向が自由に選択できるため、用途に応じて最適な設計が可能となり、操作性に優れた電子写真記録装置を提供できる。
【００９３】
請求項２の電子写真記録装置によれば、請求項１の効果に加え、前記露光ヘッドとＩＤユニットとの相対位置を確実に位置決めすることが出来る。
【００９４】
請求項５の電子写真記録装置によれば、請求項１と同様の効果が得られるのに加え、昇降手段がないために構成がより簡単になり、装置のコストダウンに貢献できる。
【図面の簡単な説明】
【図１】  同図（ａ）は、本発明による実施の形態１の電子写真記録装置１の外形斜視図であり、同図（ｂ）は、この電子写真記録装置１のＳＣ保持フレーム４が垂直上方に上がった時の状態を示す図である。
【図２】  装置本体２に対して、ＳＣ保持フレーム４が上位開放位置に移動し、更にスタッカカバー３が最大に開いた開放角位置にあるときの状態を示す開放状態図である。
【図３】  電子写真記録装置１が、動作可能状態にあるときの各ＩＤユニット６とＬＥＤヘッド７の位置関係を模式的に示した概略説明図である。
【図４】  ＳＣ保持フレーム４の昇降機構を、Ｚ軸のプラス側から見た要部構成図である。
【図５】  （ａ）、（ｂ）、（ｃ）は、ガイドシャフト９とスライドプレート１２の規制長孔１２ｂの係合関係を説明するための部分構成図である。
【図６】  （ａ）は、本発明による実施の形態2の電子写真記録装置３１の外形斜視図であり、（ｂ）は、その電子写真記録装置３１のＳＣ保持フレーム３４が垂直上方に上がった時の状態を示す図である。
【図７】  電子写真記録装置３１の装置本体２に対して、ＳＣ保持フレーム３４が上位開放位置に移動し、更にスタッカカバー３３が最大に開いた開放角位置にあるときの状態を示す開放状態図である。
【図８】  本発明による実施の形態３の電子写真記録装置５１を、記録紙の搬送方向の上流側からみた構成図であり、スタッカカバー５３が半開きの状態を示している。
【図９】  本発明による実施の形態３の電子写真記録装置５１を、記録紙の搬送方向の上流側からみた構成図であり、スタッカカバー５３が閉じた動作位置ある状態を示している。
【図１０】  （ａ）は、ＬＥＤヘッド５８の取付け部を図８の矢印Ｂ方向からみた要部構成図であり、同図（ｂ）は、同図（ａ）における指示線１３５での断面を矢印Ｊ方向からみた断面図である。
【図１１】  対になった１組のＩＤユニット５７とＬＥＤヘッド５８の位置関係を、模式的に示した概略説明図である。
【図１２】  （ａ）、（ｂ）、（ｃ）は、それぞれヘッドカバー５９とスライドレバー６４の動きの変化を示す動作説明図である。
【図１３】  本発明による実施の形態４の電子写真記録装置７１を記録紙の搬送方向の上流側からみた構成図であり、スタッカカバーが半開きの状態を示している。
【図１４】  ＬＥＤヘッド５８と一体となってこれを保持するヘッドカバー５９の動きの変化を説明するための動作説明図である。
【図１５】  ヘッドカバー５９の動きの変化に対応するガイドリブ７３と棒状突起７４の係合状態の変化を示す模式図である。
【図１６】  従来の電子写真記録装置の要部構成を示す図で、同図（ａ）は、記録紙の搬送方向と直交する方向からみた要部構成図、同図（ｂ）は、スタッカカバーに保持されるＬＥＤヘッドの取付け機構の構成を示す部分斜視図である。
【図１７】  従来の別の電子写真記録装置の要部構成を模式的に示す概略図であり、同図（ａ）は、記録紙の搬送方向の上流側から装置本体を見た要部概略図、同図（ｂ）は、スタッカカバーが閉められたときの各部の状態を示す要部概略図、同図（ｃ）は、スタッカカバーが閉められる過程の動作状態を示す要部概略図である。
【符号の説明】
１  電子写真記録装置、  ２  装置本体、  ３  スタッカカバー、  ４  ＳＣ保持フレーム、  ４ａ  ＳＣ保持プレート、  ４ｄ，４ｅ  軸受孔、  ４ｇ  上平面、  ５  外筐、  ５ａ，５ｂ，５ｃ  側壁部、  ５ｄ  上部面、  ５ｆ  ガイド孔、  ６  ＩＤユニット、  ６ａ  位置決め孔、  ７  ＬＥＤヘッド、  ７ａ  位置決め突起、  ８  ＬＥＤヘッドホルダ、  ９  ガイドシャフト、  ９ａ突起部、  ９ｂ  規制面、  ９ｃ  傾斜部、  １０  感光体、  １１  転写ローラ、  １２  スライドプレート、  １２ａ，１２ｂ  規制長孔、  １２ｃ  下面、  １２ｄ  傾斜辺、  １３  スライドプレート、  １３ａ，１３ｂ  規制長孔、  １３ｄ  傾斜辺、  １４  作用プレート、  １４ａ，１４ｂ  係合突起、１４ｃ  端部ボタン、  １５  ダンパーギア、  １６  係止部、  １６ａ  係止爪、  １６ｂ  押圧ボタン、  １７  係止突起、  ２０  蓋体、  ２０ａ  上平面、  ２０ｂ，２０ｃ  側縁部、  ２０ｄ，２０ｅ  突起軸、  ２０ｆ  ギア、  ３１  電子写真記録装置、  ３３  スタッカカバー、  ３４  ＳＣ保持フレーム、  ３４ａ  ＳＣ保持プレート、  ３４ｄ，３４ｅ  軸受孔、  ４０  蓋体、  ４０ａ  上平面、  ４０ｂ，４０ｃ  側縁部、  ４０ｄ，４０ｅ  突起軸、４０ｆ  ギア、  ５１  電子写真記録装置、  ５２  装置本体、  ５３  スタッカカバー、  ５５  外筐、  ５５ａ  正面側壁部、  ５５ｂ  背面側壁部、  ５６  回動軸、  ５７  ＩＤユニット、  ５７ａ，５７ｂ  位置決め孔、  ５７ｃ  載置面、  ５７ｄ  対向側面、  ５８  ＬＥＤヘッド、  ５８ａ，５８ｂ  位置決め突起、  ５９  ヘッドカバー、  ５９ａ，５９ｂ  係合突起、  ５９ｃ突起軸、  ５９ｄ  係止部、  ５９ｅ  側面部、  ６０  ＬＥＤヘッドホルダ、  ６１，６２  コイルスプリング、  ６３  レバーガイド、  ６４  スライドレバー、  ６４ａ，６４ｂ  係合部、  ６４ｃ  係合斜面、  ７１  電子写真記録装置、  ７３  ガイドリブ、  ７３ａ，７３ｂ  リブ、  ７３ｃ  係合斜面、７３ｄ  ガイド溝、  ７４  棒状突起。
【図１】
0004063541.tif 000002
【図２】
0004063541.tif 000003
【図３】
0004063541.tif 000004
【図４】
0004063541.tif 000005
【図５】
0004063541.tif 000006
【図６】
0004063541.tif 000007
【図７】
0004063541.tif 000008
【図８】
0004063541.tif 000009
【図９】
0004063541.tif 000010
【図１０】
0004063541.tif 000011
【図１１】
0004063541.tif 000012
【図１２】
0004063541.tif 000013
【図１３】
0004063541.tif 000014
【図１４】
0004063541.tif 000015
【図１５】
0004063541.tif 000016
【図１６】
0004063541.tif 000017
【図１７】
0004063541.tif 000018